(57)【要約】【課題】光ディスク装置において、ＢＤ−ＲＥからデータを効率良く読出すことができ、読出し時間を短縮する。【解決手段】ブルーレイディスクレコーダ（光ディスク装置）がＢＤ−ＲＥからユーザデータの読出しを行うとき、制御用マイコンは、光ディスクドライブを用いて、記録ドライブデータに自装置記録ドライブデータのみが記録されているかを判断し（Ｓ１２）、記録されている場合、ビットマップ情報を読出す（Ｓ１４）。そして、ビットマップ情報を参照して（Ｓ１５）、読出しアドレスに対応する記録領域が記録済みである場合（Ｓ１６でＹＥＳ）、その記録領域のユーザデータを読出す（Ｓ１７）。一方、読出しアドレスに対応する記録領域が記録済みでない場合（Ｓ１６でＮＯ）、本処理が先読みであるとき（Ｓ１８でＹＥＳ）、制御用マイコンは、ビットマップ情報を参照して（Ｓ１９）、ユーザデータが記録されていない記録領域を読み飛ばす。【選択図】図７
2009266271.tif 000002
【特許請求の範囲】
【請求項１】
複数の記録領域から成る光ディスクからデータを読出す読出し手段と、該光ディスクにデータの書込みを行う書込み手段と、装置各部を制御する制御手段とを備えた光ディスク装置において、
前記光ディスクは、ユーザ所望のデータ（以下、ユーザデータ）を記録するユーザデータ領域と、該光ディスクの記録状態等を示すデータを記録する非ユーザデータ領域とを含む、書き換え可能なブルーレイディスク（以下、ＢＤ−ＲＥ）であり、
前記制御手段は、
前記光ディスクのユーザデータ領域に前記ユーザデータを書込むとき、前記書込み手段を用いて、該ユーザデータ領域に前記ユーザデータを書込むと共に、該光ディスクの非ユーザデータ領域に、該ユーザデータ領域内の各記録領域が記録済み状態であるか否かを管理する記録状態管理データと、前記光ディスク装置により該ユーザデータ領域に前記ユーザデータの記録が行われたことを識別するための所定の記録装置識別データとを書込み、
前記光ディスクのユーザデータ領域から前記ユーザデータを読出すとき、前記読出し手段を用いて、該光ディスクの非ユーザデータ領域に前記所定の記録装置識別データが記録されているか否かを判断し、
前記判断の結果、前記所定の記録装置識別データが記録されていた場合、前記非ユーザデータ領域から前記記録状態管理データを読出した後、該記録状態管理データの内容に基づいて、前記ユーザデータ領域内のユーザデータが記録済みである記録領域からのみ前記ユーザデータを読出し、前記ユーザデータ領域内のユーザデータが記録されていない記録領域は読み飛ばすことを特徴とする光ディスク装置。
【請求項２】
前記制御手段は、
前記光ディスクの前記ユーザデータ領域に対して前記ユーザデータの書き換えを行うとき、前記読出し手段を用いて、前記光ディスクの前記非ユーザデータ領域に前記所定の記録装置識別データが記録されているか否かを判断し、
前記判断の結果、前記所定の記録装置識別データが記録されていた場合、前記書込み手段を用いて、前記ユーザデータ領域に前記ユーザデータを書込むと共に、前記非ユーザデータ領域に記録されている前記記録状態管理データの内容を更新して書込み、
前記判断の結果、前記所定の記録装置識別データが記録されていない場合、前記書込み手段を用いて、前記ユーザデータ領域に前記ユーザデータのみを書込むことを特徴とする請求項１に記載の光ディスク装置。
【請求項３】
前記記録状態管理データは、前記非ユーザデータ領域内のベンダ定義領域に記録され、
前記所定の記録装置識別データは、前記非ユーザデータ領域内のＢＤ−ＲＥ規格で定められた特定の記録領域に記録されることを特徴とする請求項２に記載の光ディスク装置。
【請求項４】
前記所定の記録装置識別データは、前記記録状態管理データの内容に基づいて、前記ユーザデータ領域内のユーザデータが記録済みである記録領域からのみ前記ユーザデータを読出し、前記ユーザデータ領域内のユーザデータが記録されていない記録領域は読み飛ばす機能を備えた光ディスク装置を特定する識別データであることを特徴とする請求項１乃至３のいずれかに記載の光ディスク装置。
【発明の詳細な説明】
【技術分野】
【０００１】
本発明は、光ディスク装置に関し、特に書き換え可能なブルーレイディスク（ＢＤ−ＲＥ）内のデータの読出し処理や書込み処理を効率良く行う光ディスク装置に関する。
【背景技術】
【０００２】
従来から、書き換え可能なブルーレイディスク（以下、ＢＤ−ＲＥ）等の光ディスクに対してデータの読出しや書込みを行うことができる光ディスク装置が知られている。追記型ブルーレイディスク（ＢＤ−Ｒ）や、ＤＶＤ＋ＲＷ等の光ディスクには、ディスク上の各記録領域が記録済み状態であるか否かを管理する記録状態の管理データが記録されている。しかし、ＢＤ−ＲＥには、この種の管理データが規定されていない。そのため、一般的に、光ディスク装置が、ＢＤ−ＲＥからデータの読出しを行う場合、データが記録されていない記録領域に対してもデータの読出し処理を行うため、データの読出し効率が悪く、データの読出しに時間がかかるという問題がある。
【０００３】
上記問題点について図９を参照して具体的に説明する。図９は、ＢＤ−ＲＥにおける各記録領域の記録状態を示す。図中のａ１０１〜ａ１０６は、それぞれ記録領域を示す。なお、図中の網掛け部分（記録領域ａ１０１、ａ１０４、ａ１０６）には、すでにデータが記録されているものとする。
【０００４】
データの先読み等の読出し処理によりＢＤ−ＲＥからデータの読出しを行う場合、光ディスク装置は、記録領域ａ１０１から記録領域ａ１０６まで順番に読出し処理を行う。そのため、記録領域ａ１０１の先読み処理の完了後、未記録領域ａ１０２や未記録領域ａ１０３の読出し処理を行った後、データが記録されている記録領域ａ１０４の読出し処理を行うので、データが記録されていない記録領域に対してもデータの読出し処理を行うため、データの読出し効率が悪く、データの読出しに時間がかかる。
【０００５】
これに対して、特許文献１には、記録媒体に記録されたデータの位置を示す記録位置管理データや、記録を行った記録装置特有の識別データを記録媒体に記録する記録装置が開示されている。しかし、この種の記録装置は、ＢＤ−ＲＥ内のデータの書き換えを行うものではない。
【０００６】
また、特許文献２乃至４には、光記録媒体内の記録領域の記録状態を管理する情報を、光記録媒体内の管理領域内に記録する記録装置が開示されている。しかし、これらの記録装置は、追記型の記録媒体に対して記録状態の管理を行うものであるため、書き換え可能であるＢＤ−ＲＥに対して記録状態を管理するものではない。従って、上記問題を解決できない。
【特許文献１】特開２００７−１８５６４号公報
【特許文献２】特表２００６−５１４３９０号公報
【特許文献３】特開２００２−１２４０４１号公報
【特許文献４】特開２００４−１４６００８号公報
【発明の開示】
【発明が解決しようとする課題】
【０００７】
本発明は、上述した問題点を解決するためになされたものであり、ＢＤ−ＲＥからデータを効率良く読出すことができ、読出し時間を短縮することができる光ディスク装置を提供することを目的とする。
【課題を解決するための手段】
【０００８】
上記目的を達成するために請求項１の発明は、複数の記録領域から成る光ディスクからデータを読出す読出し手段と、該光ディスクにデータの書込みを行う書込み手段と、装置各部を制御する制御手段とを備えた光ディスク装置において、前記光ディスクは、ユーザ所望のデータ（以下、ユーザデータ）を記録するユーザデータ領域と、該光ディスクの記録状態等を示すデータを記録する非ユーザデータ領域とを含む、書き換え可能なブルーレイディスク（以下、ＢＤ−ＲＥ）であり、前記制御手段は、前記光ディスクのユーザデータ領域に前記ユーザデータを書込むとき、前記書込み手段を用いて、該ユーザデータ領域に前記ユーザデータを書込むと共に、該光ディスクの非ユーザデータ領域に、該ユーザデータ領域内の各記録領域が記録済み状態であるか否かを管理する記録状態管理データと、前記光ディスク装置により該ユーザデータ領域に前記ユーザデータの記録が行われたことを識別するための所定の記録装置識別データとを書込み、前記光ディスクのユーザデータ領域から前記ユーザデータを読出すとき、前記読出し手段を用いて、該光ディスクの非ユーザデータ領域に前記所定の記録装置識別データが記録されているか否かを判断し、前記判断の結果、前記所定の記録装置識別データが記録されていた場合、前記非ユーザデータ領域から前記記録状態管理データを読出した後、該記録状態管理データの内容に基づいて、前記ユーザデータ領域内のユーザデータが記録済みである記録領域からのみ前記ユーザデータを読出し、前記ユーザデータ領域内のユーザデータが記録されていない記録領域は読み飛ばすものである。
【０００９】
請求項２に記載の発明は、請求項１に記載の光ディスク装置において、前記制御手段は、前記光ディスクの前記ユーザデータ領域に対して前記ユーザデータの書き換えを行うとき、前記読出し手段を用いて、前記光ディスクの前記非ユーザデータ領域に前記所定の記録装置識別データが記録されているか否かを判断し、前記判断の結果、前記所定の記録装置識別データが記録されていた場合、前記書込み手段を用いて、前記ユーザデータ領域に前記ユーザデータを書込むと共に、前記非ユーザデータ領域に記録されている前記記録状態管理データの内容を更新して書込み、前記判断の結果、前記所定の記録装置識別データが記録されていない場合、前記書込み手段を用いて、前記ユーザデータ領域に前記ユーザデータのみを書込むものである。
【００１０】
請求項３に記載の発明は、請求項２に記載の光ディスク装置において、前記記録状態管理データは、前記非ユーザデータ領域内のベンダ定義領域に記録され、前記所定の記録装置識別データは、前記非ユーザデータ領域内のＢＤ−ＲＥ規格で定められた特定の記録領域に記録されるものである。
【００１１】
請求項４に記載の発明は、請求項１乃至３のいずれかに記載の光ディスク装置において、前記所定の記録装置識別データは、前記記録状態管理データの内容に基づいて、前記ユーザデータ領域内のユーザデータが記録済みである記録領域からのみ前記ユーザデータを読出し、前記ユーザデータ領域内のユーザデータが記録されていない記録領域は読み飛ばす機能を備えた光ディスク装置を特定する識別データであるものである。
【発明の効果】
【００１２】
請求項１の発明によれば、書き換え可能なブルーレイディスク（以下、ＢＤ−ＲＥという）のユーザデータ領域からユーザデータを読出すとき、光ディスクの非ユーザデータ領域に所定の記録装置識別データが記録されていた場合、記録状態管理データを読出した後、記録状態管理データの内容に基づいて、ユーザデータ領域内のユーザデータが記録済みである記録領域からのみユーザデータを読出し、ユーザデータ領域内のユーザデータが記録されていない記録領域は読み飛ばす。そのため、記録状態管理データの内容に基づいて、ユーザデータの読出しを行うので、データを効率良く読出すことができ、読出し時間を短縮することができる。
【００１３】
請求項２の発明によれば、ユーザデータ領域に対してユーザデータの書き換えを行うとき、非ユーザデータ領域に所定の記録装置識別データが記録されているか否かを判断し、記録されていた場合、ユーザデータ領域にユーザデータを書込むと共に、非ユーザデータ領域に記録されている記録状態管理データの内容を更新して書込む。一方、所定の記録装置識別データが記録されていない場合、ユーザデータ領域にユーザデータのみを書込む。このように、所定の記録装置識別データが記録されている光ディスクにのみ、記録状態管理データを更新して書込みを行うので、光ディスクに記録されている記録状態管理データは、ユーザデータ領域の記録状態を正確に記録することができる。
【００１４】
請求項３の発明によれば、記録状態管理データと所定の記録装置識別データとが、ＢＤ−ＲＥ内の決まった領域に記録されるので、記録状態管理データと、所定の記録装置識別データとを迅速に読出すことができる。そのため、データの読出し効率を向上させることができ、データの読出し時間を短縮することができる。
【００１５】
請求項４の発明によれば、所定の記録装置識別データは、記録状態管理データの内容に基づいてユーザデータを読出し、記録されていない記録領域は読み飛ばす機能を備えた光ディスク装置を特定する識別データであるので、例えば、同じメーカによって製造された光ディスク装置等の互換性を有する他の光ディスク装置により、ユーザデータが書込まれたＢＤ−ＲＥに対しても上記と同様の効果が得られる。
【発明を実施するための最良の形態】
【００１６】
以下、本発明の一実施形態に係るブルーレイディスクレコーダ（光ディスク装置）について、図１乃至図３を参照して説明する。図１は、テレビジョン（ＴＶ）受像機２と、ブルーレイディスクレコーダ３とを含むＴＶシステム１の概略構成を示し、図２は、ＴＶ受像機２の内部構成を示すブロック図であり、図３は、ブルーレイディスクレコーダ３の内部構成を示すブロック図である。ブルーレイディスクレコーダ３は、書き換え可能なブルーレイディスク（以下、ＢＤ−ＲＥ）４等の光ディスクの再生及び記録が可能である。ＴＶ受像機２とブルーレイディスクレコーダ３とはＨＤＭＩ（High-Definition Multimedia Interface）ケーブル等の伝送ケーブル５を介して接続されている。
【００１７】
ＴＶ受像機２は、図２に示すように、ＴＶ放送番組等を表示するためのディスプレイ２１と、音声を出力可能なスピーカ２２と、外部のアンテナに接続され、このアンテナにより受信されるＴＶ放送の所望の番組を選局するチューナ２３と、ＴＶ受像機２の装置各部に指示を与えるための操作部２４と、ＴＶ受像機２の筐体外部に露出するように設けられたＨＤＭＩ端子等から構成される端子部２５と、ＴＶ受像機２の装置各部の制御を行うための制御用マイコン２０とを備える。
【００１８】
ＴＶ受像機２は、制御用マイコン２０による制御に基づき、例えばチューナ２３により選局されたＴＶ放送番組や、端子部２５に伝送ケーブル５を介して接続されたブルーレイディスクレコーダ３から入力される画像・音声等を、ディスプレイ２１やスピーカ２２を介して視聴可能にすることができるように構成されている。
【００１９】
ブルーレイディスクレコーダ３は、図３に示すように、ブルーレイディスクレコーダ３の装置各部に指示を与えるための操作部３１と、ブルーレイディスクレコーダ３の筐体外部に露出するように設けられたＨＤＭＩ端子等から構成される端子部３２と、ＢＤ−ＲＥ４等の光ディスクを内部に着脱可能であり、装着された光ディスクからデータの読出しやデータの書込みを行う光ディスクドライブ（読出し手段、書込み手段）３４と、ブルーレイディスクレコーダ３の装置各部を制御するための制御用マイコン（制御手段）３０と、制御用マイコン３０を動作させるためのプログラム等が記憶されたメモリ３３とを備える。
【００２０】
光ディスクドライブ３４は、光ディスクを回転させるためのスピンドルモータや、データの読み書きを行うためのピックアップ装置等から構成され、書き換え可能なＢＤ−ＲＥ４に加えて、追記型ブルーレイディスク（ＢＤ−Ｒ）や、読出し専用ブルーレイディスク（ＢＤ−ＲＯＭ）等の光ディスクのデータの読出しや書込みを行うことができる。
【００２１】
次に、ブルーレイディスクレコーダ３によってＢＤ−ＲＥ４内に記録されるデータについて、図４及び図５を参照して説明する。図４は、ＢＤ−ＲＥ４内の記録領域の構成を示し、図５は、ビットマップ情報（記録状態管理データ）ｄ１の例を示す。
【００２２】
ＢＤ−ＲＥ４は、複数の記録領域から成る光ディスクであり、複数の記録領域は、ユーザ所望のデータ（以下、ユーザデータ）を記録するユーザデータ領域Ｕや、ＢＤ−ＲＥ４内の各種管理データ等を記録する非ユーザデータ領域Ｄ等から構成される。非ユーザデータ領域Ｄは、ベンダ定義領域Ｄ１と、ＢＤ−ＲＥ規格で定められた特定の記録領域（以下、特定記録領域）Ｄ２と、その他の管理領域Ｄ３とを有する。
【００２３】
ベンダ定義領域Ｄ１には、ユーザデータ領域Ｕ内の各記録領域が記録済み状態であるか否かを管理するビットマップ情報ｄ１が記録される。特定記録領域Ｄ２には、ユーザデータ領域Ｕにユーザデータの記録を行った記録装置を識別するための記録ドライブデータｄ２が記録される。
【００２４】
ビットマップ情報ｄ１は、図５に示すように、ユーザデータ領域Ｕ内の各記録領域に対応するアドレスＡと、各アドレスＡに対応する記録領域の記録状態を示す記録状態フラグＦ等のリストから構成される。記録状態フラグＦは、２値情報（１ｂｉｔ）の値であり、記録状態フラグＦが「１」のとき記録済み状態であることを示し、「０」のとき未記録状態であることを示す。具体的には、図５に示すように、アドレスＡ１の記録状態フラグＦが「１」であるので、アドレスＡ１に対応するユーザデータ領域Ｕ内の記録領域には、既にユーザデータが記録されていることを示す。また、アドレスＡ２の記録状態フラグＦが「０」であるので、アドレスＡ２に対応するユーザデータ領域Ｕ内の記録領域には、ユーザデータが記録されていないことを示す。
【００２５】
記録ドライブデータｄ２は、ＢＤ−ＲＥ４にユーザデータの書込みを行った製造メーカ名及び機種名の情報等の特有のデータから成る。以下、本明細書内では説明の便宜のため、このブルーレイディスクレコーダ３により記録された記録ドライブデータｄ２を自装置記録ドライブデータ（所定の記録装置識別データ）ｄ２ａといい、他の装置によって記録された記録ドライブデータｄ２を他装置記録ドライブデータｄ２ｂという。
【００２６】
また、自装置記録ドライブデータｄ２ａには、例えば、同じメーカにより製造された同じ機種の光ディスク装置と、同じメーカ又は他のメーカにより製造された光ディスク装置のうち、ビットマップ情報ｄ１の内容に基づいて、後述するユーザデータの読み書き処理（図６、図７参照）を行う機能と互換性を有する他の機種の光ディスク装置とにより記録される自装置記録ドライブデータが含まれる。
【００２７】
次に、ブルーレイディスクレコーダ３がＢＤ−ＲＥ４にユーザデータの書込みを行う際の処理手順について、図６に示すフローチャートを参照して説明する。
【００２８】
まず、制御用マイコン３０は、光ディスクドライブ３４を用いて、ＢＤ−ＲＥ４のユーザデータ領域Ｕにユーザデータを記録する（Ｓ１）。そして、非ユーザデータ領域Ｄ内の特定記録領域Ｄ２に記録される記録ドライブデータｄ２の読出しを行い（Ｓ２）、記録ドライブデータｄ２が記録されている場合（Ｓ３でＹＥＳ）、読み出した記録ドライブデータｄ２に自装置記録ドライブデータｄ２ａのみが記録されているか否かを判断する（Ｓ４）。
【００２９】
上記Ｓ４の判断の結果、自装置記録ドライブデータｄ２ａのみが記録されている場合、つまり、ブルーレイディスクレコーダ３によってのみユーザデータが記録されたＢＤ−ＲＥ４である場合（Ｓ５でＹＥＳ）、ＢＤ−ＲＥ４のベンダ定義領域Ｄ１に記録されたビットマップ情報ｄ１を読出し（Ｓ６）、上記Ｓ１の処理により書込んだユーザデータ領域Ｕ内の記録領域のアドレスＡに対応する記録状態フラグＦを記録済み状態に更新して書込む（Ｓ７）。そして、自装置記録ドライブデータｄ２ａを特定記録領域Ｄ２に書込んだ後（Ｓ８）、書込み処理を終了する。
【００３０】
一方、上記Ｓ４の判断の結果、記録ドライブデータｄ２に他装置記録ドライブデータｄ２ｂが含まれる場合、つまり、ブルーレイディスクレコーダ３によってのみユーザデータが記録されたＢＤ−ＲＥ４ではない場合（Ｓ５でＮＯ）、制御用マイコン３０は、上記Ｓ６及びＳ７の処理は行わず、上記Ｓ８の処理を行った後、書込み処理を終了する。
【００３１】
また、例えば、ＢＤ−ＲＥ４が新品である等の理由により記録ドライブデータｄ２が全く記録されていない場合（Ｓ３でＮＯ）、制御用マイコン３０は、光ディスクドライブ３４を用いて、上記Ｓ１の処理により書込んだユーザデータ領域Ｕ内の記録状態に対応するビットマップ情報ｄ１をベンダ定義領域Ｄ１に書込み（Ｓ９）、上記Ｓ８の処理を行った後、書込み処理を終了する。
【００３２】
次に、ブルーレイディスクレコーダ３がＢＤ−ＲＥ４内のユーザデータの読出しを行う際の処理手順について、図７に示すフローチャートを参照して説明する。まず、制御用マイコン３０は、光ディスクドライブ３４を用いて、記録ドライブデータｄ２の読出しを行った後（Ｓ１１）、記録ドライブデータｄ２に自装置記録ドライブデータｄ２ａのみが記録されているか否かを判断する（Ｓ１２）。
【００３３】
上記Ｓ１２の判断の結果、自装置記録ドライブデータｄ２ａのみが記録されている場合、つまり、ブルーレイディスクレコーダ３によってのみユーザデータが記録されたＢＤ−ＲＥ４である場合（Ｓ１３でＹＥＳ）、制御用マイコン３０は、光ディスクドライブ３４を用いて、ビットマップ情報ｄ１を読出し（Ｓ１４）、読出したビットマップ情報ｄ１を参照する（Ｓ１５）。
【００３４】
そして、読出しアドレスに対応する記録領域が記録済みである場合（Ｓ１６でＹＥＳ）、制御用マイコン３０は、光ディスクドライブ３４を用いて、その記録領域のユーザデータを読出して（Ｓ１７）、読出し処理を終了する。
【００３５】
一方、上記Ｓ１２の判断の結果、記録ドライブデータｄ２に他装置記録ドライブデータｄ２ｂが含まれる場合、つまり、ブルーレイディスクレコーダ３によってのみユーザデータが記録されたＢＤ−ＲＥ４でない場合（Ｓ１３でＮＯ）、制御用マイコン３０は、上記Ｓ１４以降の処理を行なわないで、上記Ｓ１７の処理を行った後、読出し処理を終了する。従って、他社のブルーレイディスクレコーダ等の記録装置によりユーザデータが記録されたＢＤ−ＲＥ４であってもユーザデータの読出しを行うことができる。
【００３６】
また、上記Ｓ１５によるビットマップ情報ｄ１の参照の結果、読出しアドレスに対応する記録領域が記録済みでない場合に（Ｓ１６でＮＯ）、本読出し処理が先読み処理による読出し処理であるとき（Ｓ１８でＹＥＳ）、制御用マイコン３０は、ビットマップ情報ｄ１を参照して（Ｓ１９）、ユーザデータが記録されていない記録領域を読み飛ばし、ユーザデータが記録済みである記録領域をシークさせる（Ｓ２０）。そして、その記録領域のユーザデータを読出して（Ｓ１７）、読出し処理を終了する。
【００３７】
一方、現在の読出し処理が先読み処理ではない場合（Ｓ１８でＮＯ）、制御用マイコン３０は、光ディスクドライブ３４から読出しエラーを受信し（Ｓ２１）、読出し処理を終了する。
【００３８】
次に、ＢＤ−ＲＥ４内のユーザデータの読出し処理について、図８を参照して説明する。図８は、ユーザデータ領域Ｕ内の各記録領域の記録状態を示す。図中のａ１〜ａ６は、ビットマップ情報ｄ１（図５参照）のアドレスＡ１〜Ａ６に対応する記録領域であり、図中の網掛け部分（記録領域ａ１、ａ４、ａ６）は、データが記録済みであるものとする。
【００３９】
図８に示すユーザデータ領域Ｕからユーザデータの先読み処理を行う場合、図５に示したビットマップ情報ｄ１を参照して読出し処理を行うので、制御用マイコン３０は、光ディスクドライブ３４を用いて記録領域ａ１からユーザデータを先読み処理中に、ビットマップ情報ｄ１を参照することにより記録領域ａ２と記録領域ａ３が未記録であることを検知することができる。そして、制御用マイコン３０は、光ディスクドライブ３４を用いて記録領域ａ１からユーザデータを読み出した後に、記録領域ａ２と記録領域ａ３を読み飛ばして、記録領域ａ４からユーザデータの先読みを行うことができる。従って、上記図９に示した従来のデータ読出し処理に比べて、データの読出し効率が良く、データの読出し時間を短縮することができる。
【００４０】
上述したように、本実施形態に係るブルーレイディスクレコーダ３によれば、ＢＤ−ＲＥ４内のユーザデータ領域Ｕからユーザデータを読出すとき、ＢＤ−ＲＥ４の非ユーザデータ領域Ｄ内の記録ドライブデータｄ２に自装置記録ドライブデータｄ２ａのみが記録されている場合に、ビットマップ情報ｄ１を読出した後、ビットマップ情報ｄ１の内容に基づいて、ユーザデータ領域Ｕ内のユーザデータが記録済みである記録領域からのみユーザデータを読出し、ユーザデータ領域内のユーザデータが記録されていない記録領域は読み飛ばす。そのため、ビットマップ情報ｄ１の内容に基づいて、ユーザデータの読出しを行うので、データを効率良く読出すことができ、読出し時間を短縮することができる。
【００４１】
また、記録ドライブデータｄ２に自装置記録ドライブデータｄ２ａのみが記録されている場合に、ビットマップ情報ｄ１の内容に基づいてユーザデータの読出しを行うので、他の記録装置によってユーザデータが記録された後、ユーザデータの記録状態が反映されていないビットマップ情報ｄ１の内容に基づいてユーザデータの読出しを行うことがない。そのため、ビットマップ情報ｄ１の内容に基づいて正確にユーザデータを読出すことができる。
【００４２】
また、ユーザデータ領域Ｕに対してユーザデータの書き換えを行うとき、非ユーザデータ領域Ｄ内の記録ドライブデータｄ２に自装置記録ドライブデータｄ２ａのみが記録されている場合、ユーザデータ領域Ｕにユーザデータを書込むと共に、非ユーザデータ領域Ｄに記録されているビットマップ情報ｄ１の内容を更新して書込む。一方、記録ドライブデータｄ２に他装置記録ドライブデータｄ２ｂが含まれる場合、ユーザデータ領域Ｕにユーザデータのみを書込む。このように、ブルーレイディスクレコーダ３によってのみユーザデータが記録されたＢＤ−ＲＥ４である場合にのみ、ビットマップ情報ｄ１を更新して書込みを行うので、ＢＤ−ＲＥ４に記録されているビットマップ情報ｄ１は、ユーザデータ領域Ｕの記録状態を正確に記録することができる。
【００４３】
また、ビットマップ情報ｄ１と、自装置記録ドライブデータｄ２ａとが、ＢＤ−ＲＥ４内の決まった領域に記録されるので、ビットマップ情報ｄ１と、自装置記録ドライブデータｄ２ａとを迅速に読出すことができる。そのため、データの読出し効率を向上させることができ、データの読出し時間を短縮することができる。
【００４４】
自装置記録ドライブデータｄ２ａは、ビットマップ情報ｄ１の内容に基づいてユーザデータを読出し、記録されていない記録領域は読み飛ばす機能を備えた光ディスク装置を特定する識別データであるので、例えば、同じメーカによって製造された光ディスク装置等の互換性を有する他の光ディスク装置により、データが書込まれたＢＤ−ＲＥ４に対してもデータの読出し効率を向上させることができ、データの読出し時間を短縮することができる。
【００４５】
なお、本発明は、上記実施形態の構成に限られず、発明の趣旨を変更しない範囲で種々の変形が可能である。例えば、上記の実施形態において、他の記録装置によってユーザデータが記録されたＢＤ−ＲＥ４に対して、ビットマップ情報の書込みを行わない例を示したが、これに限られず、他の記録装置によってユーザデータが記録されたＢＤ−ＲＥ４に対してさらにユーザデータを記録する場合、ＢＤ−ＲＥ４のユーザデータ領域の全ての記録領域の記録状態を調べることにより、ビットマップ情報ｄ１を作成して書込むと共に、記録ドライブデータｄ２の内容を自装置記録ドライブデータｄ２ａのみに書き換えているものであってもよい。
【図面の簡単な説明】
【００４６】
【図１】本発明の一実施形態に係るＴＶ受像機と、ブルーレイディスクレコーダとを含むＴＶシステムの概略構成図。
【図２】上記ＴＶ受像機の内部構成を示すブロック図。
【図３】上記ブルーレイディスクレコーダの内部構成を示すブロック図。
【図４】上記ブルーレイディスクレコーダが書き換え可能なＢＤ−ＲＥの記録領域の概念を示す説明図。
【図５】上記ブルーレイディスクレコーダによりＢＤ−ＲＥに記録されるビットマップ情報を示すリスト。
【図６】上記ブルーレイディスクレコーダにおける書込み処理の手順を示すフローチャート。
【図７】上記ブルーレイディスクレコーダにおける読出し処理の手順を示すフローチャート。
【図８】上記ＢＤ−ＲＥ内に記録領域の読出し処理を示す説明図。
【図９】従来のＢＤ−ＲＥ内の記録領域の読出し処理を示す説明図。
【符号の説明】
【００４７】
３  ブルーレイディスクレコーダ（光ディスク装置）
４  ＢＲ−ＤＥ（光ディスク）
３０  制御用マイコン（制御手段）
３４  光ディスクドライブ（読出し手段、書込み手段）
Ｄ  ユーザデータ領域
Ｕ  非ユーザデータ領域
Ｄ１  ベンダ定義領域
Ｄ２  特定記録領域
ｄ１  ビットマップ情報（記録状態管理データ）
ｄ２ａ  自装置記録ドライブデータ（所定の記録装置識別データ）
【図１】
2009266271.tif 000003
【図２】
2009266271.tif 000004
【図３】
2009266271.tif 000005
【図４】
2009266271.tif 000006
【図５】
2009266271.tif 000007
【図６】
2009266271.tif 000008
【図７】
2009266271.tif 000009
【図８】
2009266271.tif 000010
【図９】
2009266271.tif 000011